(57)【要約】【課題】  可変情報が印刷された印刷物の検査・照合を、印刷物の元となるデータを参照することなく可能となる印刷物検査装置を提供することを課題とする。【解決手段】  記録媒体１７に不可視の様式で格納された印刷データからコードパターンを抽出（コードパターン抽出部３１）し、さらに復号（コードデータ復元部３２）して得られるコードデータと、印刷物１５上からコードパターンを取り込んで得られるコードデータを比較（比較判定部３４）し、正否を判定する。判定結果は、出力制御部３５を介して記憶部３６に記録され、履歴管理、再製作等にも利用する。【選択図】  図３
2014024218.tif 000002
【特許請求の範囲】
【請求項１】
印刷物に印刷された印刷画像に含まれる印刷物識別パターンが表わす印刷物識別情報と、前記印刷物を印刷するための印刷データに含まれる印刷物識別情報とを照合することで印刷物の正当性を検査する印刷物検査装置であって、
印刷物から前記印刷物識別パターンを光学的に読み取り、読み取った識別パターンを第１の印刷物識別コードに変換する識別パターン読取手段と、
前記印刷データに含まれる印刷物識別情報にかかわるデータを像情報として抽出する識別データ抽出手段と、
前記識別データ抽出手段で抽出された像情報から第２の印刷物識別コードを導き出す識別コード復号手段と、
前記第１および第２の印刷物識別コードを比較することにより、一致または不一致の判定を行う比較判定手段と、
を備えたことを特徴とする印刷物検査装置。
【請求項２】
前記印刷データは、ラスター化されたイメージデータであることを特徴とする請求項１記載の印刷物検査装置。
【請求項３】
前記印刷物識別パターンは、バーコードであることを特徴とする請求項１または２記載の印刷物検査装置。
【請求項４】
前記印刷物識別パターンは、二次元コードであることを特徴とする請求項１または２記載の印刷物検査装置。
【発明の詳細な説明】
【技術分野】
【０００１】
本発明は、印刷物の印刷面上に出力された識別コードを利用して印刷物の正否を判別する印刷物検査装置に関する。
【背景技術】
【０００２】
ダイレクトメールは既に広く用いられているが、宛先のみを変えた同一の印刷物（例えば広告）を大量に送るようなかつてのダイレクトメールではなく、近年は、宛先毎に内容が異なる印刷物からなるダイレクトメールが著しく増加している。中でも、請求書など機密度の高い情報を含むダイレクトメールは、秘密性とともに確実性を要するので、特に注意を払って作成される。可変情報を含むこのようなダイレクトメールは、いわゆるオンデマンド印刷で作成されるが、印刷のみならず封入封緘までも人手を介さずに行われる。
【０００３】
また、最近は、個人情報保護の観点もあって、情報の漏洩、改竄、盗み見などの可能性を極限まで排除すべく、例えば、印刷データ生成の工程と、上記のような印刷−封緘の工程を完全に分離するまでに至っている。特に、印刷工程は、印刷データの内容を解読できぬよう、また、印刷物は作業者の目に触れぬうちに封筒詰めまでなされ、そのまま配送に回される。例えば、このように分断された工程を完全分離方式と呼ぶこととする。
【０００４】
そこで問題になるのが、製品検査、すなわち内容物の検査である。内容物の検査といっても、検査すべき項目は多岐にわたるが、特に、製造すべき製造物が正常かつ過不足なく製造されたか、といったことは最も基本となる項目であり、製造履歴管理の点からも必須のものとなっている。
【０００５】
一般に、請求書など大量の印刷物を発行する工程では、バーコードなどの管理用パターンを利用して発行工程の管理や履歴管理が行われている。バーコードや２次元コードが多用されるのは、これらのコードが、大量の印刷物の識別に堪える情報量を保持できる一方、読み取りが高速かつ比較的簡便であること、さらに、帳票類を発行と同じ印刷工程で形成できることによる。
【０００６】
特許文献１は、記録媒体の照合にバーコードを用い、記録媒体上のバーコードを光学的に読み取ることにより得られた読取データと、バーコード生成に用いたバーコードデータから得られる照合データとを照合し、両者が不一致の場合に、不一致となった照合データを記録することを特徴としている。
また特許文献２は、バーコードに限らず、所定位置の印字状態を検出して得られる印字結果データと、入力データに基づいて生成した「所定位置の印字」に対応する検証用データを比較して印字品質を判定することを特徴としている。
【先行技術文献】
【特許文献】
【０００７】
【特許文献１】特開平７−１０５３００号公報
【特許文献２】特開２００１−２７７６７６号公報
【発明の概要】
【発明が解決しようとする課題】
【０００８】
しかし、特許文献１、２とも元となるデータに基づく検査用データ（あるいは照合用データ）と印字結果とを比較することにより一致不一致あるいは合否の判定を行うものであり、データの生成工程とデータの出力工程（印刷など）が何らかの形で連携可能な状態にある。
ところが、上記のような完全分離方式では、データの生成工程とデータの出力工程との間の情報の遮断により、このような連携のないことが肝要な点であるため、元となるデータに基づく検査用データを用いることが困難となる。
【０００９】
そこで、本発明は、可変情報が印刷された印刷物の検査を、印刷物の元となるデータを参照することなく可能とし、さらに検査の履歴の記録をも可能とする印刷物検査装置を提供することを課題とする。
【課題を解決するための手段】
【００１０】
上記課題を解決する本発明の印刷物検査装置は、
印刷物に印刷された印刷画像に含まれる印刷物識別パターンが表わす印刷物識別情報と、前記印刷物を印刷するための印刷データに含まれる印刷物識別情報とを照合することで印刷物の正当性を検査する印刷物検査装置であって、
印刷物から前記印刷物識別パターンを光学的に読み取り、読み取った識別パターンを第１の印刷物識別コードに変換する識別パターン読取手段と、前記印刷データに含まれる印刷物識別情報にかかわるデータを像情報として抽出する識別データ抽出手段と、前記識別データ抽出手段で抽出された像情報から第２の印刷物識別コードを導き出す識別コード復号手段と、前記第１および第２の印刷物識別コードを比較することにより、一致または不一致の判定を行う比較判定手段と、を備えたことを特徴とする。
また、前記印刷データは、ラスター化されたイメージデータであることを特徴とする。
なお、前記印刷物識別パターンは、バーコードあるいは二次元コードであることが好適である。
【発明の効果】
【００１１】
本発明の印刷物検査装置によれば、印刷物作成の工程において、印刷物の元となるデータを参照することなく、印刷物の正否の判定情報や履歴情報の取得が可能となる。よって前記元となるデータが印刷物作成工程に流れぬため、印刷物作成工程での情報漏洩等の防止に寄与する。
【図面の簡単な説明】
【００１２】
【図１】本発明の印刷物検査装置を示す図
【図２】印刷物の態様を示す図
【図３】本発明の印刷物検査装置の機能ブロック図
【図４】本発明の印刷物検査装置の検査制御部の処理フロー図
【発明を実施するための形態】
【００１３】
図１は、本発明の印刷物検査装置の一実施形態を示す図である。ここでは印刷物検査の説明のために、印刷データ作成装置１１および印刷物作成装置１２を含めた印刷物製造システム全体が示されており、本実施形態の印刷物検査装置は、印刷物作成装置１２に付帯した検査装置として表わされている。後に詳述するが、印刷物検査装置２０は、コード読取部２１および検査制御部２２（図示せず）を備え、このうち検査制御部２２は、図１では、印刷制御部１２１に収容されている。
【００１４】
図１の印刷物製造システム１０において、印刷データ作成装置１１は、印刷物１５に印刷すべき文字や絵柄の素材を編集し印刷データ１６を生成する役割を担い、印刷物作成装置１２は、紙等の基材上に印刷データ１６から形状情報を記録（すなわち印刷）し、印刷物１５を作成する役割を担う。なお、編集とは、人がかかわって行われる紙面構成の作業を云い、文字や絵柄の素材とは、編集に用いる像情報であり、人が認識でき、加工可能な状態にある情報を指す。
【００１５】
印刷物製造システム１０では、印刷データ作成装置１１および印刷物作成装置１２の間は、高度な機密性を担保するため、完全に分離された工程となっていることが肝要な点であり、印刷データ作成装置１１と印刷物作成装置１２との間では、印刷データ１６のみがデータ記録媒体１７に格納されて印刷データ作成装置１１から印刷物作成装置１２へ送達される。
【００１６】
なお、印刷データ１６は、前記送達の過程や印刷物作成装置１２の工程での漏洩、改変、盗み見などの余地をなくすため、前記素材にかかわる情報は一切含まぬよう構成されることが重要である。
このような印刷データ１６の様式としては、例えばラスター形式のデータがある。ラスター形式のデータとは、走査方向と副走査方向の二次元に配列した点（画素）の集合として像情報を扱うデータ形式であり、データそのものは単なる数値の集合であり、像として視認可能な状態にはないため、像情報の機密性保持には好適である。一般的に用いられるラスター形式のデータの例としては、ビットマップ形式、ＴＩＦＦ形式、ＪＰＥＧ形式などがある。
【００１７】
また、印刷データ１６の送達に用いるデータ記録媒体１７としては、安価かつ利用後に容易に破砕処分可能であるＣＤ−Ｒなどの記録媒体を用いることが好適であり、印刷データ１６はさらに暗号化されて記録媒体に記録されることが望ましい。
【００１８】
図２は、印刷物１５の印刷面の態様を示す図である。
印刷物１５上には、印刷画像として、図柄１４とともに、印刷物を個別に識別するためのコード情報（識別コード）がコードパターン２４の形で印刷されている。
なお、コードパターン２４は、図1に示す印刷データ作成装置１１で印刷情報を編集する際に生成され、像情報として印刷データ１６に埋め込まれ、図柄１４とともに印刷装置１３において用紙１８に出力（印刷）されたものである。
【００１９】
また、印刷物１５ではコードパターン２４をバーコードで表わしているが、このような機械読取り可能なコードパターンで、かつ、プリンタによる出力に適したものとしてはバーコード２４１の他に、二次元コード２４２、ＯＣＲ文字２４３などがある。例えば、二次元コードは記録する情報量が多いこと、ＯＣＲ文字は機械読取りとともに人間が読取ることが可能、などそれぞれに特徴を持ち、用途により使い分けられる。
このように、コードパターンには種々のものがあり、さらに、例えばバーコードであればＮＷ−７、ＣＯＤＥ３９など、また、ＯＣＲ文字であればＯＣＲ−Ａ、ＯＣＲ−Ｂなどのように細分化され規格化されており、それぞれの規格でコード体系を形成している。
【００２０】
従来の印刷物製造システムでの検査は、前記特許文献に見られるように、印刷されたコードパターンから読み取られたコードデータと同パターンの元となったデータとを比較することによりなされるが、印刷データ作成装置１１と印刷物作成装置１２が遮断された図１のような印刷物製造システムでは、印刷されたコードパターンとの比較対象となる「元となるデータ」に相当するものがなく、また、印刷データ１６の中にも同パターンが特定できる形では存在しない。
【００２１】
そこで、本実施形態の印刷物検査装置では、印刷データ１６から同データに含まれる識別情報を探し出すコードパターン抽出部と、この識別情報から元の印刷物識別コードを復元するコードデータ復元部をもって検査（あるいは照合）を可能とする。
【００２２】
図３は、本実施形態の印刷物検査装置の構成を示す図である。印刷物検査装置２０は、コード読取部２１と検査制御部２２からなり、検査制御部２２は印刷物作成装置１２の制御部１２１に組み込まれ、印刷装置１３を制御する印刷装置制御部３７などと協調して作動する。言い換えれば、印刷装置１３と印刷物検査装置２０がデータやタイミングを共有しながら、制御部１２１が印刷物作成装置１２全体をコントロールする。
【００２３】
印刷物検査装置２０の検査制御部２２は、コードパターン抽出部３１、コードデータ復元部３２、コード取込部３３、比較判定部３４、出力制御部３５などを備え、印刷されたコードパターン２４が表わすコードデータと検査用データとの比較のためのデータ処理を担う。なお、コード読取部２１は印刷された識別コードのパターン（すなわちコードパターン２４）を光学的に読み取るもので、コード取込部３３と組み合わせて識別パターン読取手段となる。
【００２４】
また、印刷物作成装置１２の制御部１２１は、他に記憶部３６、印刷装置制御部３７、管理部３０を持ち、記憶部３６はデータの保管を担い、管理部３０は印刷物１５の印刷や検査に関するデータ処理、操作者との情報授受など、印刷物作成装置１２全体の管理および制御を担う。また、端末３８は操作者との情報の授受のための付帯機器である。
【００２５】
コードパターン抽出部３１は、送達されたデータ記録媒体１７内の印刷データ１６から、印刷物識別情報に当たる情報を探し出し、同情報を形状情報（コードパターン）として抽出する機能を有する識別データ抽出手段をなす。また、コードデータ復元部３２は、識別コード復号手段にあたり、これはコードパターン抽出部３１で得られたコードパターンの形状情報からコードデータへの変換を担う。
【００２６】
ここで、コードパターン抽出部３１とコードデータ復元部３２の処理フローを、図４を用いて詳しく説明する。なお、図４は、印刷データ１６からコードパターンに相当する部分を探し出し、コードデータに変換するまでの処理フローを表わし、各過程の説明を図中に付してある。
【００２７】
図４について、補足説明を加える。
パターン領域検出（Ｓ４３）の「コードパターンを探す」については、予めコードパターン４２の位置が定まっているのであればパターンの抽出は容易であるが、コードパターンの位置が不定であっても、パターンマッチングを用いて、例えばバーコードであればスタート／ストップコードのパターンを手掛かりとすることによりコードパターンにあたる部分の抽出が可能となる。
また、二次元コードであれば切り出しシンボルのパターンを手掛かりとすることにより同様に抽出が可能となる。
このように、パターン領域が特定され（パターン領域検出４３）、さらにパターンの抽出が可能となる。
また、Ｓ４１〜Ｓ４６のフローは検査制御部２２の内部の演算、記憶機能で進行するので外部には不可視である。
【００２８】
図３を参照して検査制御部２２の説明を続ける。
コード取込部３３は、同取込部３３に付帯するコード読取部２１から印刷物１５の印刷面のコードパターン２４を取り込み、コード情報（すなわち第１の印刷物識別コード）に変換して比較判定部３４に送信する。
【００２９】
なお、コードパターン２４の位置が印刷物１５内で予め定まっているのであれば、コード読取部２１としてコードリーダーのようなコード読み取り専用の機器を用い、これを所定の位置に配置すればよいが、コードパターン２４の位置が不定であっても、例えば印刷物１５全体を撮像した画像からコードパターン２４の部分を抽出することも可能である。抽出の手法の一例としては、図４において、印刷物１５全体を撮像した画像を仮想的な印刷画像４１と置き換えてＳ４２〜Ｓ４６の手順を用いることによりコードパターン２４を取り出すことが可能となる。
【００３０】
続いて、比較判定部３４において、第１の印刷物識別コードと、コードデータ復元部３３より得られたコードデータ（すなわち第２の印刷物識別コード）とが比較される。このとき、両者が一致すれば「正」、一致しなければ「否」と判定される。
判定結果が「正」であれば、印刷データ１６に対応する印刷物１５が出力されたことが確認できたことになる。
【００３１】
なお、出力制御部３５は、判定結果を用途に合わせ記録、あるいは格納するためのものであり、例えば比較判定部３４での判定結果を履歴として記録するのであれば、所定の形式で記憶部３６に記録する。また、印刷物製造システム１０が不良となった印刷物を排除するための排出機構を備えているのであれば、出力制御部３５は同排出機構を駆動するための信号を生成することもできる。
【００３２】
このように、本実施形態の印刷物検査装置２０によれば、コード読取部２１で読み取ったコード情報を印刷データ作成装置１１のコード情報と照合することなく印刷物１５の検査が可能となる。
記憶部３６に格納されたコード情報とこれに対応する判別情報とを利用すれば、印刷物作成装置１２は不良と判定された印刷物の再製作も可能となる。
【符号の説明】
【００３３】
１０  印刷物製造システム
１１  印刷データ作成装置
１２  印刷物作成装置
１３  印刷装置
１４  図柄
１５  印刷物
１６  印刷データ
１７  データ記録媒体
２０  印刷物検査装置
２１  コード読取部
２２  検査制御部
２４  コードパターン
３０  管理部
３１  コードパターン抽出部
３２  コードデータ復元部
３３  コード取込部
３４  比較判定部
３６  記憶部
３７  印刷装置制御部
【図１】
2014024218.tif 000003
【図２】
2014024218.tif 000004
【図３】
2014024218.tif 000005
【図４】
2014024218.tif 000006